(57)【要約】  本発明は、エアバッグと、装着時に車室内に面しエアバッグモジュールの異なる複数のセグメント（１０，２０）によって構成された可視面とを備え、少なくとも２つのセグメント（１０，２０）は視覚的及び／又は触覚的に異なる表面を有するように構成された車両乗員拘束システム用エアバッグモジュールに関する。少なくとも２つのセグメント（１０，２０）はそれぞれ、所定の接続領域を形成しつつ少なくとも１つの別のセグメント（１０，２０）との物理的な接合を可能とする少なくとも１つの物理的な接合部（１０ａ，１０ｂ）を備え、少なくとも１つのセグメント（２０）は、少なくとも１つの開裂線（２２）を備え、展開時の前記開裂線（２２）の開裂の際に、前記エアバッグモジュールから前記エアバックを放出可能とする開口部が前記可視面に形成されるように構成される。ここでは前記物理的な接合部（１０ａ，１０ｂ）は、前記開裂線（２２）の開裂の際、当該接合を維持して開成しないように構成されている。【選択図】      図２
2012521926.tif 000002
【特許請求の範囲】
【請求項１】
車両乗員拘束システム用エアバッグモジュールであって、
エアバッグと、装着時に車室内に面しエアバッグモジュールの異なる複数のセグメント（１０，２０）によって構成された可視面とを備え、少なくとも２つのセグメント（１０，２０）は視覚的及び／又は触覚的に異なる表面を有し、
少なくとも２つのセグメント（１０，２０）はそれぞれ、所定の接続領域を形成しつつ少なくとも１つの別のセグメント（１０，２０）との物理的な接合を可能とする少なくとも１つの物理的な接合部（１０ａ，１０ｂ）を備え、
少なくとも１つのセグメント（２０）は、少なくとも１つの開裂線（２２）を備え、展開時の前記開裂線（２２）の開裂の際に、前記エアバッグモジュールから前記エアバックを放出可能とする開口部が前記可視面に形成され、
前記物理的な接合部（１０ａ，１０ｂ）は、前記開裂線（２２）の開裂の際、当該接合を維持して開成しないように構成されていることを特徴とするエアバッグモジュール。
【請求項２】
請求項１に記載のエアバッグモジュールであって、
前記開裂線（２２）は、所定の物理的な接合部（２０ａ）に沿って延在するように構成されていることを特徴とするエアバッグモジュール。
【請求項３】
請求項２に記載のエアバッグモジュールであって、
前記開裂線（２２）は、一方のセグメント（２０）の他方のセグメント（１０）との前記物理的な接合部（２０ａ）によって形成される接続線に沿って延在していることを特徴とするエアバッグモジュール。
【請求項４】
請求項１から３のうちのいずれか一項に記載のエアバッグモジュールであって、
前記開裂線（２２）は、本質的に少なくとも１つのセグメント境界部に沿って延在していることを特徴とするエアバッグモジュール。
【請求項５】
請求項１に記載のエアバッグモジュールであって、
前記開裂線は、１つのセグメントにおいて当該セグメントの物理的な接合部に沿わないように構成されていることを特徴とするエアバッグモジュール。
【請求項６】
請求項１から４のうちのいずれか一項に記載のエアバッグモジュールであって、
前記異なる複数のセグメント（１０，２０）は、展開時に少なくとも一部が旋回及び／又は開裂するカバーキャップ（１０）によって、及び／又は前記エアバッグモジュールのモジュールケーシング（３０）の可視面（２０）によって構成されていることを特徴とするエアバッグモジュール。
【請求項７】
請求項６に記載のエアバッグモジュールであって、
前記可視面は、前記カバーキャップで形成された第１セグメント（１０）と、前記モジュールケーシング上に設けられたキャップフレームで形成された第２セグメント（２０）とによって構成されていることを特徴とするエアバッグモジュール。
【請求項８】
請求項１から５のうちのいずれか一項に記載のエアバッグモジュールであって、
前記異なる複数のセグメントは、前記エアバッグモジュールのカバーキャップの異なる複数のセグメントによって構成されていることを特徴とするエアバッグモジュール。
【請求項９】
請求項１から８のうちのいずれか一項に記載のエアバッグモジュールであって、
２つのセグメント間の物理的な接続は、２つの接合部によって分離できないように構成されていることを特徴とするエアバッグモジュール。
【請求項１０】
請求項１から９のうちのいずれか一項に記載のエアバッグモジュールであって、
前記異なる複数のセグメントの接続のための物理的な接合部は、突状のロック要素（１１，２１）を有することを特徴とするエアバッグモジュール。
【請求項１１】
請求項１から１０のうちのいずれか一項に記載のエアバッグモジュールであって、
少なくとも１つのセグメント（１０，２０）は、基材（１０）と、前記基材（１０）の全表面に設けられた表面材（４０）とを有することを特徴とするエアバッグモジュール。
【請求項１２】
請求項１１に記載のエアバッグモジュールであって、
少なくとも１つのセグメント（１０，２０）は、基材（１０）としての射出成形材料とともにバック射出成形される表面材（４０）を有することを特徴とするエアバッグモジュール。
【請求項１３】
請求項１１又は１２に記載のエアバッグモジュールであって、
前記表面材（４０）は、プラスチックホイル、或いは布地又は皮革の切断片によって構成されていることを特徴とするエアバッグモジュール。
【請求項１４】
請求項１１から１３のうちのいずれか一項に記載のエアバッグモジュールであって、
所定の開裂線は、１つのセグメントの前記基材にて延在し、且つ前記表面材によって視覚的に遮蔽されていることを特徴とするエアバッグモジュール。
【請求項１５】
請求項１から１４のうちのいずれか一項に記載のエアバッグモジュールであって、
前記異なる複数のセグメント（１０，２０）は、異なる表面材及び／又は異なるワニス状被膜を有するような異なる表面構造を有することを特徴とするエアバグモジュール。
【発明の詳細な説明】
【技術分野】
【０００１】
本発明は、請求項１の前段部分（プレアンブル）にかかる車両乗員拘束システム用エアバッグモジュールに関するものである。
【０００２】
車両の室内デザインに関しては、独特の形状や色彩デザインによって個性化の度合いを高める要請が増えている。
【０００３】
ＤＥ１０１６４２１０Ａ１公報には、エアバッグの放出領域を被覆する車両の室内被覆部が開示されている。１つの実施形態では、この放出領域が室内被覆部の装飾領域に配置されるように構成されている。ＤＥ２００１６４９３Ｕ１公報には、車両の室内ライニング用の被覆要素が開示されており、当該被覆要素は、装飾カバーを備え助手席に対して湾曲状に凹んだ細長状の硬質の支持プレートによって作られている。所定の開裂線がエアバッグの通過開口に設けられ、ここでは支持プレート及び装飾カバーの可視面にて延在している。
【０００４】
自動車の製造者であるフィアット・オートモービルズによる車両形式フィアット５００（製造年：２００７／２００８年）は、異なる表面を有する２部品によって形成の可視面を備えたエアバッグモジュールを実装しており、ここでは１つの部品は中央部に設けられ、また展開時にそれ自体が係合解除によってフレームのまわりの部品から完全に分離される。当該部品は、その係合解除ではストラップによってモジュールに保持される。
【発明の開示】
【発明が解決しようとする課題】
【０００５】
本発明によって解決される課題は、デザインのための機会を増やすことが可能な車両拘束システム用エアバッグモジュールを提供することである。
【課題を解決するための手段】
【０００６】
この課題は、請求項１にかかる特徴を有するエアバッグモジュールによって解決される。本発明の実施形態は従属項にて言及される。
【０００７】
これによれば、本発明は、エアバッグと、装着時に車室内に面しエアバッグモジュールの異なる複数のセグメントによって構成された可視面（車両乗員によって視認が可能な「可視領域」ともいう）とを備え、少なくとも２つのセグメントは視覚的及び／又は触覚的に異なる表面を有するように構成された車両乗員拘束システム用エアバッグモジュールに関する。少なくとも２つのセグメントはそれぞれ、所定の接続領域を形成しつつ少なくとも１つの別のセグメントとの物理的な接合を可能とする少なくとも１つの物理的な接合部（「接続部」ないし「連結部」ともいう）を備え、少なくとも１つのセグメントは、少なくとも１つの開裂線（「破断（予定）線」ともいう）を備え、展開時の前記開裂線の開裂の際に、前記エアバッグモジュールから前記エアバックを放出可能とする開口部が前記可視面に形成されるように構成される。ここでは前記物理的な接合部は、前記開裂線の開裂の際、当該接合を維持して開成しないように構成される。
【０００８】
本発明における解決策によれば、視覚的及び／又は触覚的に互いに異なる表面構造、従ってエアバッグモジュールの可視面を構成する複数のセグメントの異なる様式（外観上のデザイン様式）を実現することができる。可視面を様式が異なる複数のセグメントに区画することができる。各セグメントを別のセグメントとは無関係に表面加工することが可能であり、複数のセグメントのうちの１つのセグメントを表面加工するため、非表面加工の別のセグメントのために追加の費用が生じない。展開エアバッグのための開口部を形成するための開裂線を２つのセグメントを接続するための物理的な接合部から引き離す（分離する）ことによって、エアバッグモジュールの可視領域（可視面）を、主に様式の態様、例えば各セグメントの大きさや位置に関して、異なる複数のセグメントに区分することが可能であり、物理的な接合部とは無関係に構成された１又は複数の開裂線によって、展開時における可視領域の開裂作用が生じる。
【０００９】
ここで、エアバッグモジュールの可視面を形成する異なる複数のセグメントの表面加工或いは特定の様式を任意に選択することができる。この場合、特に顧客の要望に応じて、特定の表面構造を有する規定のセグメントを設けることができる。
【００１０】
２つの表面が異なる色彩及び／又は異なる光反射特性を有する場合に、本発明によって規定されるように２つの表面が視覚的に互いに異なり、例えば異なる光沢度（光沢値）又は無光沢度（つや消し値（マット値））を実現する。２つの表面が異なる材料によって作られる及び／又は異なる表面構造を有する場合に、本発明によって規定されるように２つの表面が触覚的に互いに異なる。表面が視覚的及び／又は触覚的に異なる実施形態は、表面加工（「表面処理」、「表面仕上げ」ともいう）とも称呼される。対応するセグメントの様式を異ならせることによって異なる表面加工が行われる。
【００１１】
本発明の１つの実施形態では、開裂線は、当該開裂線が物理的な接合部に沿って（即ち、接合部上に、接合部と平行に、或いは接合部に隣接して）延在するように構成される。ここでは、この開裂線は物理的な接合部とは無関係であり、前記の物理的な接合部によっては構成されない。この実施形態では、開裂線は、本質的に２つのセグメントの接続線に沿って、従って少なくとも一部の領域が本質的に少なくとも１つのセグメント境界部に沿って延在する。この場合、可視面の分割領域がエアバッグ放出のための開口部の経路に合致する。この構成は、接続領域の外側に複数のセグメントの分離構造を必要としないため特に有効である。
【００１２】
複数のセグメントのうちの１つに開裂線がどのように形成されているかに応じて、開裂線の開裂時に物理的な接合部によって構成される物理的な接続領域は、その空間上の位置を変更することができ、例えば所定のセグメントとともに観音開き式に旋回ないし回動しつつ開放可能とされ、或いは空間上の位置を変更することなく維持することができる。いずれの場合でも、複数のセグメント間の物理的な接合部は開裂時に開裂線を開口しない。
【００１３】
本発明の別の実施形態では、他方で１つのセグメントにおける開裂線が複数のセグメントの物理的な接合部に沿わないように構成される。ここでは、本発明にかかる開裂線が物理的な接合部から引き離されて（分離されて）異なる経路で延在するのが有利であり、各セグメントの大きさ及び形状の選択に関し、設計の自由度を追加できるという利点がある。
【００１４】
本発明の１つの実施形態では、これは必須ではないが物理的な接合部が本質的にセグメント境界部に沿って延在するように構成される。更に、２つの接合部によって構成される２つのセグメント間の物理的な接続は分離することができず、即ち特に展開時のエアバッグ膨張の際には、荷重の作用下でこれらの接合部は開成されない。当該接合部を実現するために、幾つかの種類の物理的な接続手段、例えば互いに対応する突状の複数のロック要素（ポジティブロック要素）や、接着手段を接続領域に適用することができる。
【００１５】
１つの実施形態では、エアバッグモジュールのうち可視面を形成する異なる複数のセグメントは、展開の際に少なくとも一部が観音開き式に旋回ないし回動し又は開裂するカバーキャップによって、及び／又はエアバッグモジュールのモジュールケーシングの可視領域（可視面）によって構成される。例えば、カバーキャップによって構成された第１セグメントと、モジュールケーシング上のキャップフレームによって構成された第２セグメントとによって可視面が形成される。別の実施例では、当該異なる複数のセグメントは、エアバッグモジュールのモジュラーカバーキャップの異なる複数のセグメントによって構成される。
【００１６】
本発明の更なる別の実施形態では、視覚的及び／又は触覚的に異なる表面を実現するために、１つのセグメントの表面がプラスチックホイル（プラスチック製のフィルムないし薄膜）によって構成される。この場合、保持材料（基材）を変更する必要なく、異なるホイルデザインを適用することができる。そのような表面加工を形成するために、予め装飾されたホイルが、射出成形に適したプラスチック材とともにバック射出成形される。このため、柔軟なエアバッグ基材上に例えば平滑で、光沢度の高い表面を形成することができる。一方で、変更例として、接着、箔押し（ホットスタンピング）、ディップ印刷等のような、表面加工のためのその他の方法も可能である。
【００１７】
プラスチックホイルを基本とする代わりに、表面材料を別の保持材料又はラミネートとともにバック射出成形することもできる。例えば、布地（織布）又は皮革の切断片をバック射出成形することができる。いずれの場合も、表面材料のバック射出成形によれば、バック射出成形がなされる領域の柔軟性が損なわれないという利点がある。これは、表面加工されたセグメントをエアバッグモジュールのエアバッグの放出面の領域に配置するのに特に有利である。
【００１８】
１つのセグメントをプラスチックホイルとともにバック射出成形する場合、プラスチックホイルが車両乗員に対向するセグメント表面を形成する。ここでは、耐傷性（「耐引っかき性」ともいう）の高い特定種類のホイルをデザイン面（装飾面）に使用することができる。これは、光沢度の高い平滑面の場合に特に有利である。
【００１９】
複数のセグメントのうちの少なくとも１つに表面加工された後においてのみ、各セグメントが互いに接続される。表面加工された後においてのみ各セグメントを接続することにより、異なるセグメント間での互いの変化を明確に識別可能であるという利点がある。従って、各セグメントは明確になり、また互いに明確に識別される。
【００２０】
展開エアバッグのための開裂線が１つのセグメント内で延在し、またここでは対応するセグメントの加工表面によって被覆されるように構成することができる。例えば、バック射出成形されたプラスチックホイルによって所定のセグメントが構成される。プラスチックに開裂線が形成された後に、この開裂線は、当該開裂線は視認できないようにプラスチックホイルによって被覆され、また開裂線の領域に筋状の線のように外観を損なう部位が生じるのを確実に回避することができる。それに加えて、この表面加工により、加工されたセグメントと別のセグメントとの接続領域を被覆することもできる。一方で、これにより不良率（廃棄率）が低下し、また製造工具において多くの費用が必要となる可能性が低下する。
【００２１】
表面加工により開裂線が被覆されるため、これに加えてエアバッグの展開時にキャップが容易に開放可能となるように、局部的に開口した（即ち、貫通状の）開裂線（ミシン目）を用いることができる。そのような貫通構造は被覆表面加工がなされないと外観上の理由において問題が生じる。この点において、表面加工によりカバーキャップ又はカバーキャップを構成するセグメントに開裂線を形成するのに利用できる方法が増える。
【００２２】
エアバッグモジュールの可視面を形成する、複数のセグメントの視覚的及び／又は触覚的に異なる表面に、エンブレム（記章）や装飾要素のような更なる別の構成要素を設けることができる。これらの構成要素は、表面加工された所定のセグメントに接着される。この接続は、例えば熱溶接、接着、係合（引っ掛かり状のラッチ係合）等によって生じる。一般的な方法で形成された可視面にそのようなエンブレムや装飾要素を取り付けることによっては、本発明で規定されるような視覚的及び／又は触覚的に異なる表面は実現することができず、これはそのようなエンブレムや装飾要素が、一方では対応するセグメントに直に形成されず、また他方では所定のセグメントの可視面の一部の領域のみを被覆するからである。
【００２３】
本発明は、引き続いて複数の実施形態についての図面を参照しつつ更に説明される。
【図面の簡単な説明】
【００２４】
【図１】図１は、本発明の典型的な実施形態にかかるエアバッグモジュールの可視面を上面視にて示す図である。
【図２】図２は、図１のエアバッグモジュールの複数の構成要素の分解状態を示す図である。
【図３】図３は、図１のエアバッグモジュールのＡ−Ａ線に関する断面構造を示す図である。
【図４】図４は、図３の領域Ａが拡大された状態を示す図である。
【図５】図５は、図１から図４のエアバッグモジュールのキャップフレームを上面視にて示す図である。
【発明を実施するための形態】
【００２５】
図１には、異なる２つのセグメント（「構成要素」、「構成片」ないし「区画片」ともいう）１０，２０で構成された、所定の可視面（「可視領域」ともいう）を有するエアバッグモジュールの典型的な実施形態が示されている。図１では、これら２つのセグメント１０，２０が容易に区別できるように異なるハッチングが施されている。
【００２６】
図２の分解図からわかるように、一方のセグメントがエアバッグモジュールのカバーキャップ１０として構成されている。他方のセグメントは、エアバッグモジュールのモジュールケーシング３０の上面となるように設計されたキャップフレーム２０によって構成されており、前記上面が車室内に面する。このモジュールケーシング３０は、図示省略のガスジェネレータ（「ガス発生器」ともいう）のための、またエアバッグのためのハウジング（「収容体」ともいう）としての機能を果たす。
【００２７】
このエアバッグモジュールは、車両のステアリングホイールのハブ領域に配置される運転者用エアバッグモジュールとして構成されている。図１には、運転者の視点に関する上面視が示されており、ステアリングホイールスポーク及びステアリングホイールリムは図示されていない。
【００２８】
図２によれば、更にプラスチックホイル（プラスチック製の「フィルム」ないし「薄膜」ともいう）４０が設けられており、当該プラスチックホイルは、例えば光沢度の高いホイルであり、カバーキャップ１０上に配置される。ここで、カバーキャップ１０がキャップフレーム２０上に配置される前に、カバーキャップ１０に対してプラスチックホイル４０が接続される。例えば接着、箔押し（ホットスタンピング）等によって当該接続が行われる。１つの実施形態では、プラスチックホイル４０及びカバーキャップ１０の接続ユニットを構成する場合、プラスチックホイル４０は、射出成形（「インジェクション成形」ともいう）が可能でその後にカバーキャップ１０を構成する所定のプラスチック材とともにバック射出成形（「バックインジェクション成形」ともいう）される。
【００２９】
このカバーキャップ１０は、プラスチックホイル４０を用いることで例えば平滑で光沢度の高い表面を備えている。このプラスチックホイルの種類及び構造に応じて、種々の色彩、光沢値、表面構造及び装飾性を実現することができる。ここで、１つの実施形態では、プラスチックホイル４０が高い耐傷性（「耐引っかき性」ともいう）を有する。カバーキャップ１０は、表面加工（「表面処理」、「表面仕上げ」ともいう）がなされた部分４０によって可視面の装飾領域（デザイン領域）を形成している。
【００３０】
プラスチックホイル４０を備えるカバーキャップ１０をキャップフレーム２０に接続するために、カバーキャップ１０上に例えば溶接ドームの形態の複数の突出部（「突起」ともいう）１１が設けられるように構成されており、当該突出部は、キャップフレーム２０の複数の凹部（開口部）２１に係合（「嵌合」ともいう）して、例えば超音波溶接によってこれらの前記凹部に取り付け固定され、これにより分離できない物理的な接続が形成される。ここでは、これら複数の突出部１１がカバーキャップの物理的な接合部（「接続部」ないし「連結部」ともいう）１０ａを形成し、また複数の凹部２１がキャップフレームの物理的な接合部２０ａを形成している。変更例として、当該接続が分離不能な別の形態によって、例えばリベットや接着面による形態によって行われるように構成することができる。
【００３１】
１つの実施形態では、キャップフレーム２０に表面加工が施されない。一方で、基本的には表面加工されたキャップフレームを用いることもできる。
【００３２】
図３には、互いに接続された２つのセグメント１０，２０の断面構造が示されている。ここでは更に、モジュールキャップ１０は、モジュールケーシング３０の突出部（突起）３１上の複数の縁部４２のうちの１つにおいて、モジュールキャップ３０上を回転可能であることがわかる。更に、カバーキャップ１０の複数の溶接ドーム１１が確認できる。プラスチックホイル４０がカバーキャップ１０の表面を形成している。
【００３３】
図４の拡大図には、図３の部分領域Ａが図示されており、キャップフレーム２０に設けられた所定の開裂線（「破断（予定）線」ともいう）２２が確認できる。モジュールケーシング３０内の配置されたエアバッグの展開の際、当該ケーシングが開裂線２２に沿って開裂し、このときにモジュールケーシング３０の１つの縁部４２に単に固定されているカバーキャップ１０が（観音開き状に）旋回ないし回動しつつ開放される。ここでは、開裂線２２の開裂は、開裂線２２とは無関係であり、開成しない接合部１０ａ，２０ａに対しては作用しない。
【００３４】
図５の上面視では、開裂線２２は同様にキャップフレーム２０上に確認することができる。当該開裂線は、物理的な接合部１０ａが凹部２１に取り付けられ、キャップフレーム２０とカバーキャップ１０との間の取り付け点が展開の際にここで開成することなくカバーキャップ１０と共に開裂するように、キャップフレーム２０に設けられている。凹部２１或いは取り付け点の数、形状及び位置を、カバーキャップ１０の形状、大きさ、重さに応じて選択することができる。図５では、更にキャップフレーム２０の複数の側壁部２３が確認でき、当該側壁部が前記キャップフレーム２０を構造的に補強している。
【００３５】
プラスチックホイル４０が予め設けられるため、セグメント１０の隣接するキャップフレーム２０からの変化が明確に識別される。これにより、デザインの清澄度（鮮明さ）及び上品さが増す。
【００３６】
更に、プラスチックホイル４０は、カバーキャップ１０とキャップフレーム２０との間の接続部分、即ち接合部１０ａ，２０ａ（図２参照）を付加的に遮蔽する。このため外観上（美的に）不利となる接続部分の視覚的な検出が回避される。これに応じて、キャップフレーム１０の開裂線２２を、図５に示すようにミシン目として貫通状に構成することも可能であり、このため開裂線２２を簡単な形態で有利に形成することができる。この開裂線２２をミシン目のように構成することが可能であるが、これは前記開裂線がプラスチックホイル４０を備えるカバーキャップ１０によって被覆されるからである。
【００３７】
変更の実施形態（図示省略）では、キャップフレーム２０に代えてカバーキャップ１０に開裂線を設けるように構成することができる。開裂線の開裂時において、キャップフレーム２０とカバーキャップ１０との間の取り付け点は、当該取り付け点が開成することなくキャップフレーム２０上に留まる。この場合も、開裂線をミシン目によって構成することができる。ここで、視覚的な遮蔽構造を有するプラスチックホイル４０が開裂線の視認性を妨げる。展開の際、被覆領域を介してカバーキャップが開裂し、即ちカバーキャップ１０とプラスチックホイル４０との間の接続部分も同様に開裂する。
【００３８】
図３及び図４とは異なり、更なる別の変更例（図示省略）では、開裂線は本質的に２つのセグメントのセグメント境界部又は接続線に続くものではなく、それらから引き離された（分離された）経路で延在している。ここで当該開裂線は１又は複数のセグメントを通って延在することができる。ここで当該開裂線は、開裂の際に同様に開裂するプラスチックホイル又は別の表面材料によって視覚的に遮蔽されるのが好ましい。開裂線と複数のセグメントを接続する物理的な接合部との離間構造によれば、セグメント境界部や前記境界部によって規定される可視面の装飾部分（デザイン部分）を、エアバッグの開放領域とは無関係に選択することができる。
【００３９】
更なる別の変更例（図示省略）では、カバーキャップ１０の表面はプラスチックホイルによって加工されず、例えば布地（織布）や皮革の切断片のような別の素材によって加工される。
【００４０】
本発明は、その実施形態については、単なる実施例として解される上述の典型的な実施形態に限定されるものではない。例えば、上述の方法とは別の方法で形成された複数のセグメントによって可視面を構成することが可能であり、或いは各セグメントを上述の方法とは別の方法で接続することができる。更に、本発明を運転者用のエアバッグモジュールに適用する場合について説明したが、可視面を有する別のエアバッグモジュール、特に助手席用のエアバッグモジュールや、膝用エアバッグモジュールにおいても同様に本発明を適用することが可能である。
【図１】
2012521926.tif 000003
【図２】
2012521926.tif 000004
【図３】
2012521926.tif 000005
【図４】
2012521926.tif 000006
【図５】
2012521926.tif 000007
【手続補正書】
【提出日】平成23年9月30日(2011.9.30)
【手続補正１】
【補正対象書類名】明細書
【補正対象項目名】全文
【補正方法】変更
【補正の内容】
【発明の詳細な説明】
【技術分野】
【０００１】
本発明は、請求項１の前段部分（プレアンブル）にかかる車両乗員拘束システム用エアバッグモジュールに関するものである。
【０００２】
車両の室内デザインに関しては、独特の形状や色彩デザインによって個性化の度合いを高める要請が増えている。
【０００３】
ＤＥ１０１６４２１０Ａ１公報には、エアバッグの放出領域を被覆する車両の室内被覆部が開示されている。１つの実施形態では、この放出領域が室内被覆部の装飾領域に配置されるように構成されている。ＤＥ２００１６４９３Ｕ１公報には、車両の室内ライニング用の被覆要素が開示されており、当該被覆要素は、装飾カバーを備え助手席に対して湾曲状に凹んだ細長状の硬質の支持プレートによって作られている。所定の開裂線がエアバッグの通過開口に設けられ、ここでは支持プレート及び装飾カバーの可視面にて延在している。
【０００４】
自動車の製造者であるフィアット・オートモービルズによる車両形式フィアット５００（製造年：２００７／２００８年）は、異なる表面を有する２部品によって形成の可視面を備えたエアバッグモジュールを実装しており、ここでは１つの部品は中央部に設けられ、また展開時にそれ自体が係合解除によってフレームのまわりの部品から完全に分離される。当該部品は、その係合解除ではストラップによってモジュールに保持される。
【発明の開示】
【発明が解決しようとする課題】
【０００５】
本発明によって解決される課題は、デザインのための機会を増やすことが可能な車両拘束システム用エアバッグモジュールを提供することである。
【課題を解決するための手段】
【０００６】
この課題は、請求項１にかかる特徴を有するエアバッグモジュールによって解決される。本発明の実施形態は従属項にて言及される。
【０００７】
これによれば、本発明は、エアバッグと、装着時に車室内に面しエアバッグモジュールの異なる複数のセグメントによって構成された可視面（車両乗員によって視認が可能な「可視領域」ともいう）とを備え、少なくとも２つのセグメントは視覚的及び／又は触覚的に異なる表面を有するように構成された車両乗員拘束システム用エアバッグモジュールに関する。少なくとも２つのセグメントはそれぞれ、所定の接続領域を形成しつつ少なくとも１つの別のセグメントとの物理的な接合を可能とする少なくとも１つの物理的な接合部（「接続部」ないし「連結部」ともいう）を備え、少なくとも１つのセグメントは、少なくとも１つの開裂線（「破断（予定）線」ともいう）を備え、展開時の前記開裂線の開裂の際に、前記エアバッグモジュールから前記エアバックを放出可能とする開口部が前記可視面に形成されるように構成される。ここでは前記物理的な接合部は、前記開裂線の開裂の際、当該接合を維持して開成しないように構成される。
【０００８】
本発明における解決策によれば、視覚的及び／又は触覚的に互いに異なる表面構造、従ってエアバッグモジュールの可視面を構成する複数のセグメントの異なる様式（外観上のデザイン様式）を実現することができる。可視面を様式が異なる複数のセグメントに区画することができる。各セグメントを別のセグメントとは無関係に表面加工することが可能であり、複数のセグメントのうちの１つのセグメントを表面加工するため、非表面加工の別のセグメントのために追加の費用が生じない。展開エアバッグのための開口部を形成するための開裂線を２つのセグメントを接続するための物理的な接合部から引き離す（分離する）ことによって、エアバッグモジュールの可視領域（可視面）を、主に様式の態様、例えば各セグメントの大きさや位置に関して、異なる複数のセグメントに区分することが可能であり、物理的な接合部とは無関係に構成された１又は複数の開裂線によって、展開時における可視領域の開裂作用が生じる。
【０００９】
ここで、エアバッグモジュールの可視面を形成する異なる複数のセグメントの表面加工或いは特定の様式を任意に選択することができる。この場合、特に顧客の要望に応じて、特定の表面構造を有する規定のセグメントを設けることができる。
【００１０】
２つの表面が異なる色彩及び／又は異なる光反射特性を有する場合に、本発明によって規定されるように２つの表面が視覚的に互いに異なり、例えば異なる光沢度（光沢値）又は無光沢度（つや消し値（マット値））を実現する。２つの表面が異なる材料によって作られる及び／又は異なる表面構造を有する場合に、本発明によって規定されるように２つの表面が触覚的に互いに異なる。表面が視覚的及び／又は触覚的に異なる実施形態は、表面加工（「表面処理」、「表面仕上げ」ともいう）とも称呼される。対応するセグメントの様式を異ならせることによって異なる表面加工が行われる。
【００１１】
本発明の１つの実施形態では、開裂線は、当該開裂線が物理的な接合部に沿って（即ち、接合部上に、接合部と平行に、或いは接合部に隣接して）延在するように構成される。ここでは、この開裂線は物理的な接合部とは無関係であり、前記の物理的な接合部によっては構成されない。この実施形態では、開裂線は、本質的に２つのセグメントの接続線に沿って、従って少なくとも一部の領域が本質的に少なくとも１つのセグメント境界部に沿って延在する。この場合、可視面の分割領域がエアバッグ放出のための開口部の経路に合致する。この構成は、接続領域の外側に複数のセグメントの分離構造を必要としないため特に有効である。
【００１２】
複数のセグメントのうちの１つに開裂線がどのように形成されているかに応じて、開裂線の開裂時に物理的な接合部によって構成される物理的な接続領域は、その空間上の位置を変更することができ、例えば所定のセグメントとともに観音開き式に旋回ないし回動しつつ開放可能とされ、或いは空間上の位置を変更することなく維持することができる。いずれの場合でも、複数のセグメント間の物理的な接合部は開裂時に開裂線を開口しない。
【００１３】
本発明の別の実施形態では、他方で１つのセグメントにおける開裂線が複数のセグメントの物理的な接合部に沿わないように構成される。ここでは、本発明にかかる開裂線が物理的な接合部から引き離されて（分離されて）異なる経路で延在するのが有利であり、各セグメントの大きさ及び形状の選択に関し、設計の自由度を追加できるという利点がある。
【００１４】
本発明の１つの実施形態では、これは必須ではないが物理的な接合部が本質的にセグメント境界部に沿って延在するように構成される。更に、２つの接合部によって構成される２つのセグメント間の物理的な接続は分離することができず、即ち特に展開時のエアバッグ膨張の際には、荷重の作用下でこれらの接合部は開成されない。当該接合部を実現するために、幾つかの種類の物理的な接続手段、例えば互いに対応する突状の複数のロック要素（ポジティブロック要素）や、接着手段を接続領域に適用することができる。
【００１５】
１つの実施形態では、エアバッグモジュールのうち可視面を形成する異なる複数のセグメントは、展開の際に少なくとも一部が観音開き式に旋回ないし回動し又は開裂するカバーキャップによって、及び／又はエアバッグモジュールのモジュールケーシングの可視領域（可視面）によって構成される。例えば、カバーキャップによって構成された第１セグメントと、モジュールケーシング上のキャップフレームによって構成された第２セグメントとによって可視面が形成される。別の実施例では、当該異なる複数のセグメントは、エアバッグモジュールのモジュラーカバーキャップの異なる複数のセグメントによって構成される。
【００１６】
本発明の更なる別の実施形態では、視覚的及び／又は触覚的に異なる表面を実現するために、１つのセグメントの表面がプラスチックホイル（プラスチック製のフィルムないし薄膜）によって構成される。この場合、保持材料（基材）を変更する必要なく、異なるホイルデザインを適用することができる。そのような表面加工を形成するために、予め装飾されたホイルが、射出成形に適したプラスチック材とともにバック射出成形される。このため、柔軟なエアバッグ基材上に例えば平滑で、光沢度の高い表面を形成することができる。一方で、変更例として、接着、箔押し（ホットスタンピング）、ディップ印刷等のような、表面加工のためのその他の方法も可能である。
【００１７】
プラスチックホイルを基本とする代わりに、表面材料を別の保持材料又はラミネートとともにバック射出成形することもできる。例えば、布地（織布）又は皮革の切断片をバック射出成形することができる。いずれの場合も、表面材料のバック射出成形によれば、バック射出成形がなされる領域の柔軟性が損なわれないという利点がある。これは、表面加工されたセグメントをエアバッグモジュールのエアバッグの放出面の領域に配置するのに特に有利である。
【００１８】
１つのセグメントをプラスチックホイルとともにバック射出成形する場合、プラスチックホイルが車両乗員に対向するセグメント表面を形成する。ここでは、耐傷性（「耐引っかき性」ともいう）の高い特定種類のホイルをデザイン面（装飾面）に使用することができる。これは、光沢度の高い平滑面の場合に特に有利である。
【００１９】
複数のセグメントのうちの少なくとも１つに表面加工された後においてのみ、各セグメントが互いに接続される。表面加工された後においてのみ各セグメントを接続することにより、異なるセグメント間での互いの変化を明確に識別可能であるという利点がある。従って、各セグメントは明確になり、また互いに明確に識別される。
【００２０】
展開エアバッグのための開裂線が１つのセグメント内で延在し、またここでは対応するセグメントの加工表面によって被覆されるように構成することができる。例えば、バック射出成形されたプラスチックホイルによって所定のセグメントが構成される。プラスチックに開裂線が形成された後に、この開裂線は、当該開裂線は視認できないようにプラスチックホイルによって被覆され、また開裂線の領域に筋状の線のように外観を損なう部位が生じるのを確実に回避することができる。それに加えて、この表面加工により、加工されたセグメントと別のセグメントとの接続領域を被覆することもできる。一方で、これにより不良率（廃棄率）が低下し、また製造工具において多くの費用が必要となる可能性が低下する。
【００２１】
表面加工により開裂線が被覆されるため、これに加えてエアバッグの展開時にキャップが容易に開放可能となるように、局部的に開口した（即ち、貫通状の）開裂線（ミシン目）を用いることができる。そのような貫通構造は被覆表面加工がなされないと外観上の理由において問題が生じる。この点において、表面加工によりカバーキャップ又はカバーキャップを構成するセグメントに開裂線を形成するのに利用できる方法が増える。
【００２２】
エアバッグモジュールの可視面を形成する、複数のセグメントの視覚的及び／又は触覚的に異なる表面に、エンブレム（記章）や装飾要素のような更なる別の構成要素を設けることができる。これらの構成要素は、表面加工された所定のセグメントに接着される。この接続は、例えば熱溶接、接着、係合（引っ掛かり状のラッチ係合）等によって生じる。一般的な方法で形成された可視面にそのようなエンブレムや装飾要素を取り付けることによっては、本発明で規定されるような視覚的及び／又は触覚的に異なる表面は実現することができず、これはそのようなエンブレムや装飾要素が、一方では対応するセグメントに直に形成されず、また他方では所定のセグメントの可視面の一部の領域のみを被覆するからである。
【００２３】
本発明は、引き続いて複数の実施形態についての図面を参照しつつ更に説明される。
【図面の簡単な説明】
【００２４】
【図１】図１は、本発明の典型的な実施形態にかかるエアバッグモジュールの可視面を上面視にて示す図である。
【図２】図２は、図１のエアバッグモジュールの複数の構成要素の分解状態を示す図である。
【図３】図３は、図１のエアバッグモジュールのＡ−Ａ線に関する断面構造を示す図である。
【図４】図４は、図３の領域Ａが拡大された状態を示す図である。
【図５】図５は、図１から図４のエアバッグモジュールのキャップフレームを上面視にて示す図である。
【発明を実施するための形態】
【００２５】
図１には、異なる２つのセグメント（「構成要素」、「構成片」ないし「区画片」ともいう）１０，２０で構成された、所定の可視面（「可視領域」ともいう）を有するエアバッグモジュールの典型的な実施形態が示されている。図１では、これら２つのセグメント１０，２０が容易に区別できるように異なるハッチングが施されている。
【００２６】
図２の分解図からわかるように、一方のセグメントがエアバッグモジュールのカバーキャップ１０として構成されている。他方のセグメントは、エアバッグモジュールのモジュールケーシング３０の上面となるように設計されたキャップフレーム２０によって構成されており、前記上面が車室内に面する。このモジュールケーシング３０は、図示省略のガスジェネレータ（「ガス発生器」ともいう）のための、またエアバッグのためのハウジング（「収容体」ともいう）としての機能を果たす。
【００２７】
このエアバッグモジュールは、車両のステアリングホイールのハブ領域に配置される運転者用エアバッグモジュールとして構成されている。図１には、運転者の視点に関する上面視が示されており、ステアリングホイールスポーク及びステアリングホイールリムは図示されていない。
【００２８】
図２によれば、更にプラスチックホイル（プラスチック製の「フィルム」ないし「薄膜」ともいう）４０が設けられており、当該プラスチックホイルは、例えば光沢度の高いホイルであり、カバーキャップ１０上に配置される。ここで、カバーキャップ１０がキャップフレーム２０上に配置される前に、カバーキャップ１０に対してプラスチックホイル４０が接続される。例えば接着、箔押し（ホットスタンピング）等によって当該接続が行われる。１つの実施形態では、プラスチックホイル４０及びカバーキャップ１０の接続ユニットを構成する場合、プラスチックホイル４０は、射出成形（「インジェクション成形」ともいう）が可能でその後にカバーキャップ１０を構成する所定のプラスチック材とともにバック射出成形（「バックインジェクション成形」ともいう）される。
【００２９】
このカバーキャップ１０は、プラスチックホイル４０を用いることで例えば平滑で光沢度の高い表面を備えている。このプラスチックホイルの種類及び構造に応じて、種々の色彩、光沢値、表面構造及び装飾性を実現することができる。ここで、１つの実施形態では、プラスチックホイル４０が高い耐傷性（「耐引っかき性」ともいう）を有する。カバーキャップ１０は、表面加工（「表面処理」、「表面仕上げ」ともいう）がなされた部分４０によって可視面の装飾領域（デザイン領域）を形成している。
【００３０】
プラスチックホイル４０を備えるカバーキャップ１０をキャップフレーム２０に接続するために、カバーキャップ１０上に例えば溶接ドームの形態の複数の突出部（「突起」ともいう）１１が設けられるように構成されており、当該突出部は、キャップフレーム２０の複数の凹部（開口部）２１に係合（「嵌合」ともいう）して、例えば超音波溶接によってこれらの前記凹部に取り付け固定され、これにより分離できない物理的な接続が形成される。ここでは、これら複数の突出部１１がカバーキャップの物理的な接合部（「接続部」ないし「連結部」ともいう）１０ａを形成し、また複数の凹部２１がキャップフレームの物理的な接合部２０ａを形成している。変更例として、当該接続が分離不能な別の形態によって、例えばリベットや接着面による形態によって行われるように構成することができる。
【００３１】
１つの実施形態では、キャップフレーム２０に表面加工が施されない。一方で、基本的には表面加工されたキャップフレームを用いることもできる。
【００３２】
図３には、互いに接続された２つのセグメント１０，２０の断面構造が示されている。ここでは更に、モジュールキャップ１０は、モジュールケーシング３０の突出部（突起）３１上の複数の縁部４２のうちの１つにおいて、モジュールキャップ３０上を回転可能であることがわかる。更に、カバーキャップ１０の複数の溶接ドーム１１が確認できる。プラスチックホイル４０がカバーキャップ１０の表面を形成している。
【００３３】
図４の拡大図には、図３の部分領域Ａが図示されており、キャップフレーム２０に設けられた所定の開裂線（「破断（予定）線」ともいう）２２が確認できる。モジュールケーシング３０内の配置されたエアバッグの展開の際、当該ケーシングが開裂線２２に沿って開裂し、このときにモジュールケーシング３０の１つの縁部４２に単に固定されているカバーキャップ１０が（観音開き状に）旋回ないし回動しつつ開放される。ここでは、開裂線２２の開裂は、開裂線２２とは無関係であり、開成しない接合部１０ａ，２０ａに対しては作用しない。
【００３４】
図５の上面視では、開裂線２２は同様にキャップフレーム２０上に確認することができる。当該開裂線は、物理的な接合部１０ａが凹部２１に取り付けられ、キャップフレーム２０とカバーキャップ１０との間の取り付け点が展開の際にここで開成することなくカバーキャップ１０と共に開裂するように、キャップフレーム２０に設けられている。凹部２１或いは取り付け点の数、形状及び位置を、カバーキャップ１０の形状、大きさ、重さに応じて選択することができる。図５では、更にキャップフレーム２０の複数の側壁部２３が確認でき、当該側壁部が前記キャップフレーム２０を構造的に補強している。
【００３５】
プラスチックホイル４０が予め設けられるため、セグメント１０の隣接するキャップフレーム２０からの変化が明確に識別される。これにより、デザインの清澄度（鮮明さ）及び上品さが増す。
【００３６】
更に、プラスチックホイル４０は、カバーキャップ１０とキャップフレーム２０との間の接続部分、即ち接合部１０ａ，２０ａ（図２参照）を付加的に遮蔽する。このため外観上（美的に）不利となる接続部分の視覚的な検出が回避される。これに応じて、キャップフレーム１０の開裂線２２を、図５に示すようにミシン目として貫通状に構成することも可能であり、このため開裂線２２を簡単な形態で有利に形成することができる。この開裂線２２をミシン目のように構成することが可能であるが、これは前記開裂線がプラスチックホイル４０を備えるカバーキャップ１０によって被覆されるからである。
【００３７】
変更の実施形態（図示省略）では、キャップフレーム２０に代えてカバーキャップ１０に開裂線を設けるように構成することができる。開裂線の開裂時において、キャップフレーム２０とカバーキャップ１０との間の取り付け点は、当該取り付け点が開成することなくキャップフレーム２０上に留まる。この場合も、開裂線をミシン目によって構成することができる。ここで、視覚的な遮蔽構造を有するプラスチックホイル４０が開裂線の視認性を妨げる。展開の際、被覆領域を介してカバーキャップが開裂し、即ちカバーキャップ１０とプラスチックホイル４０との間の接続部分も同様に開裂する。
【００３８】
図３及び図４とは異なり、更なる別の変更例（図示省略）では、開裂線は本質的に２つのセグメントのセグメント境界部又は接続線に続くものではなく、それらから引き離された（分離された）経路で延在している。ここで当該開裂線は１又は複数のセグメントを通って延在することができる。ここで当該開裂線は、開裂の際に同様に開裂するプラスチックホイル又は別の表面材料によって視覚的に遮蔽されるのが好ましい。開裂線と複数のセグメントを接続する物理的な接合部との離間構造によれば、セグメント境界部や前記境界部によって規定される可視面の装飾部分（デザイン部分）を、エアバッグの開放領域とは無関係に選択することができる。
【００３９】
更なる別の変更例（図示省略）では、カバーキャップ１０の表面はプラスチックホイルによって加工されず、例えば布地（織布）や皮革の切断片のような別の素材によって加工される。
【００４０】
本発明は、その実施形態については、単なる実施例として解される上述の典型的な実施形態に限定されるものではない。例えば、上述の方法とは別の方法で形成された複数のセグメントによって可視面を構成することが可能であり、或いは各セグメントを上述の方法とは別の方法で接続することができる。更に、本発明を運転者用のエアバッグモジュールに適用する場合について説明したが、可視面を有する別のエアバッグモジュール、特に助手席用のエアバッグモジュールや、膝用エアバッグモジュールにおいても同様に本発明を適用することが可能である。
【００４１】
本発明では、「車両乗員拘束システム用エアバッグモジュールであって、エアバッグと、装着時に車室内に面しエアバッグモジュールの異なる複数のセグメント（１０，２０）によって構成された可視面とを備え、少なくとも２つのセグメント（１０，２０）は視覚的及び／又は触覚的に異なる表面を有し、少なくとも２つのセグメント（１０，２０）はそれぞれ、所定の接続領域を形成しつつ少なくとも１つの別のセグメント（１０，２０）との物理的な接合を可能とする少なくとも１つの物理的な接合部（１０ａ，１０ｂ）を備え、少なくとも１つのセグメント（２０）は、少なくとも１つの開裂線（２２）を備え、展開時の前記開裂線（２２）の開裂の際に、前記エアバッグモジュールから前記エアバックを放出可能とする開口部が前記可視面に形成され、前記物理的な接合部（１０ａ，１０ｂ）は、前記開裂線（２２）の開裂の際、当該接合を維持して開成しないように構成され、前記開裂線（２２）は、所定の物理的な接合部（２０ａ）に沿って延在するように構成されていることを特徴とするエアバッグモジュール」という態様（態様１）を採り得る。
また本発明では、「前記態様１に記載のエアバッグモジュールであって、前記開裂線（２２）は、一方のセグメント（２０）の他方のセグメント（１０）との前記物理的な接合部（２０ａ）によって形成される接続線に沿って延在していることを特徴とするエアバッグモジュール」という態様（態様２）を採り得る。
また本発明では、「請求項４に記載のエアバッグモジュールであって、前記可視面は、前記カバーキャップで形成された第１セグメント（１０）と、前記モジュールケーシング上に設けられたキャップフレームで形成された第２セグメント（２０）とによって構成されていることを特徴とするエアバッグモジュール」という態様（態様３）を採り得る。
また本発明では、「請求項１から６、前記態様１から３のうちのいずれかに記載のエアバッグモジュールであって、前記異なる複数のセグメントの接続のための物理的な接合部は、突状のロック要素（１１，２１）を有することを特徴とするエアバッグモジュール」という態様（態様４）を採り得る。
また本発明では、「請求項７に記載のエアバッグモジュールであって、少なくとも１つのセグメント（１０，２０）は、基材（１０）としての射出成形材料とともにバック射出成形される表面材（４０）を有することを特徴とするエアバッグモジュール」という態様（態様５）を採り得る。
また本発明では、「請求項１から９、前記態様１から５のうちのいずれかに記載のエアバッグモジュールであって、前記異なる複数のセグメント（１０，２０）は、異なる表面材及び／又は異なるワニス状被膜を有するような異なる表面構造を有することを特徴とするエアバグモジュール」という態様（態様６）を採り得る。
【手続補正２】
【補正対象書類名】特許請求の範囲
【補正対象項目名】全文
【補正方法】変更
【補正の内容】
【特許請求の範囲】
【請求項１】
車両乗員拘束システム用エアバッグモジュールであって、
エアバッグと、装着時に車室内に面しエアバッグモジュールの異なる複数のセグメント（１０，２０）によって構成された可視面とを備え、少なくとも２つのセグメント（１０，２０）は視覚的及び／又は触覚的に異なる表面を有し、
少なくとも２つのセグメント（１０，２０）はそれぞれ、所定の接続領域を形成しつつ少なくとも１つの別のセグメント（１０，２０）との物理的な接合を可能とする少なくとも１つの物理的な接合部（１０ａ，１０ｂ）を備え、
少なくとも１つのセグメント（２０）は、少なくとも１つの開裂線（２２）を備え、展開時の前記開裂線（２２）の開裂の際に、前記エアバッグモジュールから前記エアバックを放出可能とする開口部が前記可視面に形成され、
前記物理的な接合部（１０ａ，１０ｂ）は、前記開裂線（２２）の開裂の際、当該接合を維持して開成しないように構成されていることを特徴とするエアバッグモジュール。
【請求項２】
請求項１に記載のエアバッグモジュールであって、
前記開裂線（２２）は、本質的に少なくとも１つのセグメント境界部に沿って延在していることを特徴とするエアバッグモジュール。
【請求項３】
請求項１に記載のエアバッグモジュールであって、
前記開裂線は、１つのセグメントにおいて当該セグメントの物理的な接合部に沿わないように構成されていることを特徴とするエアバッグモジュール。
【請求項４】
請求項１又は２に記載のエアバッグモジュールであって、
前記異なる複数のセグメント（１０，２０）は、展開時に少なくとも一部が旋回及び／又は開裂するカバーキャップ（１０）によって、及び／又は前記エアバッグモジュールのモジュールケーシング（３０）の可視面（２０）によって構成されていることを特徴とするエアバッグモジュール。
【請求項５】
請求項１から３のうちのいずれか一項に記載のエアバッグモジュールであって、
前記異なる複数のセグメントは、前記エアバッグモジュールのカバーキャップの異なる複数のセグメントによって構成されていることを特徴とするエアバッグモジュール。
【請求項６】
請求項１から５のうちのいずれか一項に記載のエアバッグモジュールであって、
２つのセグメント間の物理的な接続は、２つの接合部によって分離できないように構成されていることを特徴とするエアバッグモジュール。
【請求項７】
請求項１から６のうちのいずれか一項に記載のエアバッグモジュールであって、
少なくとも１つのセグメント（１０，２０）は、基材（１０）と、前記基材（１０）の全表面に設けられた表面材（４０）とを有することを特徴とするエアバッグモジュール。
【請求項８】
請求項７に記載のエアバッグモジュールであって、
前記表面材（４０）は、プラスチックホイル、或いは布地又は皮革の切断片によって構成されていることを特徴とするエアバッグモジュール。
【請求項９】
請求項７又は８に記載のエアバッグモジュールであって、
所定の開裂線は、１つのセグメントの前記基材にて延在し、且つ前記表面材によって視覚的に遮蔽されていることを特徴とするエアバッグモジュール。
【国際調査報告】
2012521926.tif 000008
2012521926.tif 000009
2012521926.tif 000010
2012521926.tif 000011